(57)【要約】【課題】非使用時、携帯に便利となる熱変色性筆記具を提供する。【解決手段】本願発明の熱変色性筆記具１は、軸筒２の前端にペン先２１を設け、前記軸筒２の内部に熱変色性インキを収容し、前記ペン先２１から熱変色性インキを吐出可能に構成する。ペン先２１側にキャップ３を装着可能に設ける。軸筒２の後端またはキャップ３の頂部に摩擦部４を設け、摩擦部４によって、熱変色性インキの筆跡を摩擦しその際に生じる摩擦熱で該筆跡を熱変色可能である。キャップ３をペン先２１側に装着した状態における、キャップ３後端から軸筒２後端までの軸方向の長さＡを、４０ｍｍ〜６０ｍｍの範囲に設定する。キャップ３をペン先２１側に装着した状態における、キャップ３後端から軸筒２後端までの軸方向の長さＢを、キャップ３の軸方向の全長より短く設定する。紐状部材５を摩擦部４の反対側の端部に取り付ける。【選択図】  図１
2009066779.tif 000002
【特許請求の範囲】
【請求項１】
軸筒の前端にペン先を設け、前記軸筒の内部に熱変色性インキを収容し、前記ペン先から熱変色性インキを吐出可能に構成し、前記ペン先側にキャップを装着可能に設け、前記軸筒の後端または前記キャップの頂部に摩擦部を設け、前記摩擦部によって、前記熱変色性インキの筆跡を摩擦しその際に生じる摩擦熱で該筆跡を熱変色可能な熱変色性筆記具であって、
キャップをペン先側に装着した状態における、キャップ後端から軸筒後端までの軸方向の長さを、４０ｍｍ〜６０ｍｍの範囲に設定したことを特徴とする熱変色性筆記具。
【請求項２】
キャップをペン先側に装着した状態における、キャップ後端から軸筒後端までの軸方向の長さを、キャップの軸方向の全長より短く設定した請求項１記載の熱変色性筆記具。
【請求項３】
紐状部材を摩擦部の反対側の端部に取り付けた請求項１または２記載の熱変色性筆記具。
【請求項４】
軸筒の前端にペン先を設け、前記軸筒の内部に熱変色性インキを収容し、前記ペン先から熱変色性インキを吐出可能に構成し、前記ペン先側にキャップを装着可能に設け、前記軸筒の後端に摩擦部を設け、前記摩擦部によって、前記熱変色性インキの筆跡を摩擦しその際に生じる摩擦熱で該筆跡を熱変色可能な熱変色性筆記具であって、
キャップの頂部に紐状部材を取り付けたことを特徴とする熱変色性筆記具。
【請求項５】
軸筒の前端にペン先を設け、前記軸筒の内部に熱変色性インキを収容し、前記ペン先から熱変色性インキを吐出可能に構成し、前記ペン先側にキャップを装着可能に設け、前記軸筒の後端に摩擦部を設け、前記摩擦部によって、前記熱変色性インキの筆跡を摩擦しその際に生じる摩擦熱で該筆跡を熱変色可能な熱変色性筆記具であって、
キャップの頂部に紐状部材を取り付け、
キャップをペン先側に装着した状態における、キャップ後端から軸筒後端までの軸方向の長さを、４０ｍｍ〜６０ｍｍの範囲に設定し、
キャップをペン先側に装着した状態における、キャップ後端から軸筒後端までの軸方向の長さを、キャップの軸方向の全長より短く設定したことを特徴とする熱変色性筆記具。
【発明の詳細な説明】
【技術分野】
【０００１】
本発明は、熱変色性筆記具に関する。詳細には、熱変色性インキを内蔵した熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、キャップの頂部に設ける構成や、軸胴（本発明の軸筒）の後端に設ける構成が記載されている。
【０００３】
【特許文献１】特開２００４−１４８７４４号公報
【発明の開示】
【発明が解決しようとする課題】
【０００４】
前記従来の熱変色性筆記具は、摩擦体を備えるため、筆記具全体の長さが長くなりがちであり、携帯に不便さ感じることがある。
【０００５】
本発明は、前記従来の問題点を解決するものであって、非使用時、携帯に便利となる熱変色性筆記具を提供しようとするものである。尚、本発明で、「前」とは、ペン先側を指し、「後」とは、その反対側を指す。尚、本発明で、キャップの頂部とは、キャップの閉塞側を指す。
【課題を解決するための手段】
【０００６】
本願の第１の発明は、軸筒２の前端にペン先２１を設け、前記軸筒２の内部に熱変色性インキを収容し、前記ペン先２１から熱変色性インキを吐出可能に構成し、前記ペン先２１側にキャップ３を装着可能に設け、前記軸筒２の後端または前記キャップ３の頂部に摩擦部４を設け、前記摩擦部４によって、前記熱変色性インキの筆跡を摩擦しその際に生じる摩擦熱で該筆跡を熱変色可能な熱変色性筆記具であって、キャップ３をペン先２１側に装着した状態における、キャップ３後端から軸筒２後端までの軸方向の長さＡを、４０ｍｍ〜６０ｍｍの範囲に設定したこと（請求項１）を要件とする。
【０００７】
前記第１の発明の熱変色性筆記具１は、軸筒２後端またはキャップ３頂部に摩擦部４を備えたにもかかわらず、キャップ３をペン先２１側に装着した状態における、キャップ３後端から軸筒２後端（筆記具本体後端）までの軸方向の長さＡを６０ｍｍ以下に設定したことにより、筆記具の全長を比較的短寸化でき、非使用時、小型のバッグや容量の小さいポケットに入れても嵩張らず携帯に便利となる。
【０００８】
また、前記第１の発明の熱変色性筆記具１は、キャップ３をペン先２１側に装着した状態における、キャップ３後端から軸筒２後端までの軸方向の長さＡを４０ｍｍ以上に設定したことにより、キャップ３を取り外して筆記使用する際、親指と人差し指とにより軸筒２を挟持できるとともに、親指と人差し指との間の付け根部に軸筒２を支持でき、軸筒２の安定した把持が可能となる。
【０００９】
本願の第２の発明は、前記第１の発明において、キャップ３をペン先２１側に装着した状態における、キャップ３後端から軸筒２後端までの軸方向の長さＢを、キャップ３の軸方向の全長より短く設定したこと（請求項２）を要件とする。
【００１０】
前記第２の発明の熱変色性筆記具１は、キャップ機能を損なわずに、筆記具の全長を確実に短寸化できるとともに、安定したキャップ装着状態を維持できる。
【００１１】
本願の第３の発明は、前記第１の発明または第２の発明において、紐状部材５を摩擦部４の反対側の端部に取り付けたこと（請求項３）を要件とする。
【００１２】
前記第３の発明の熱変色性筆記具１は、紐状部材５を介して、携帯電話、キーホルダー、鞄等に容易に取り付けることができる。また、前記第３の発明の熱変色性筆記具１は、紐状部材５を摩擦部４の反対側の端部に取り付けたことにより、紐状部材５が、摩擦部４を使用する際の妨げにならない。もし、紐状部材５を摩擦部４と同じ側の端部に取り付けると、紐状部材５が、摩擦部４を使用する際の妨げになる。尚、紐状部材５を摩擦部４の反対側の端部に取り付けるとは、例えば、摩擦部４を軸筒２後端に設ける場合、紐状部材５をキャップ３頂部に取り付ける構成、または、摩擦部４をキャップ３頂部に設ける場合、紐状部材５を軸筒２後端に取り付ける構成が挙げられる。
【００１３】
本願の第４の発明は、軸筒２の前端にペン先２１を設け、前記軸筒２の内部に熱変色性インキを収容し、前記ペン先２１から熱変色性インキを吐出可能に構成し、前記ペン先２１側にキャップ３を装着可能に設け、前記軸筒２の後端に摩擦部４を設け、前記摩擦部４によって、前記熱変色性インキの筆跡を摩擦しその際に生じる摩擦熱で該筆跡を熱変色可能な熱変色性筆記具１であって、キャップ３の頂部に紐状部材５を取り付けたこと（請求項４）を要件とする。
【００１４】
前記第４の発明の熱変色性筆記具１は、紐状部材５を介して、携帯電話、キーホルダー、鞄等に容易に取り付けることができ、しかも、軸筒２の後端に摩擦部４を設け、キャップ３の頂部に紐状部材５を取り付けたことにより、紐状部材５が、摩擦部４を使用する際の妨げにならない。
【００１５】
本願の第５の発明の熱変色性筆記具１は、軸筒２の前端にペン先２１を設け、前記軸筒２の内部に熱変色性インキを収容し、前記ペン先２１から熱変色性インキを吐出可能に構成し、前記ペン先２１側にキャップ３を装着可能に設け、前記軸筒２の後端に摩擦部４を設け、前記摩擦部４によって、前記熱変色性インキの筆跡を摩擦しその際に生じる摩擦熱で該筆跡を熱変色可能な熱変色性筆記具であって、キャップ３の頂部に紐状部材５を取り付け、キャップ３をペン先２１側に装着した状態における、キャップ３後端から軸筒２後端までの軸方向の長さＡを、４０ｍｍ〜６０ｍｍの範囲に設定し、キャップ３をペン先２１側に装着した状態における、キャップ３後端から軸筒２後端までの軸方向の長さを、キャップ３の軸方向の全長より短く設定したこと（請求項５）を要件とする。
【００１６】
前記第５の発明の熱変色性筆記具１は、紐状部材５を介して、携帯電話、キーホルダー、鞄等に容易に取り付けることができ、しかも、軸筒２の後端に摩擦部４を設け、キャップ３の頂部に紐状部材５を取り付けたことにより、紐状部材５が、摩擦部４を使用する際の妨げにならない。
【００１７】
前記第５の発明の熱変色性筆記具１は、軸筒２後端またはキャップ３頂部に摩擦部４を備えたにもかかわらず、キャップ３をペン先２１側に装着した状態における、キャップ３後端から軸筒２後端までの軸方向の長さＡを６０ｍｍ以下に設定したことにより、筆記具の全長を比較的短寸化でき、非使用時、小型のバッグや容量の小さいポケットに入れても嵩張らず携帯に便利となる。
【００１８】
前記第５の発明の熱変色性筆記具１は、キャップ３をペン先２１側に装着した状態における、キャップ３後端から軸筒２後端までの軸方向の長さＡを４０ｍｍ以上に設定したことにより、キャップ３を取り外して筆記使用する際、親指と人差し指とにより軸筒２を挟持できるとともに、親指と人差し指との間の付け根部に軸筒２を支持でき、軸筒２の安定した把持が可能となる。
【００１９】
前記第５の発明の熱変色性筆記具１は、キャップ３をペン先２１側に装着した状態における、キャップ３後端から軸筒２後端までの軸方向の長さＡを、キャップ３の軸方向の全長Ｂより短く設定したことにより、キャップ機能を損なわずに、筆記具の全長を確実に短寸化できるとともに、安定したキャップ装着状態を維持できる。
【００２０】
・摩擦部
尚、本発明で、前記摩擦部は、軟質材料から構成されることが好ましい。前記摩擦部を構成する軟質材料とは、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部を構成する軟質材料は、高摩耗性の弾性材料（例えば、消しゴム等）からなるものよりも、摩擦時に消しカスが生じない低摩耗性の弾性材料からなることが好ましい。前記摩擦部の軸筒後端部への取り付け手段、及び摩擦部のキャップ頂部への取り付け手段は、例えば、圧入、嵌着、係着、螺着、接着、または２色成形による一体成形等の手段が挙げられる。
【００２１】
・ペン先
尚、本発明で、前記ペン先は、例えば、ボールペンチップ、繊維束の樹脂加工体、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。
【００２２】
・軸筒
尚、本発明で、軸筒は、ペン先を保持するペン先保持部材や、軸筒の後端開口部に取り付けられる尾栓が含まれる。前記軸筒内に熱変色性インキを収容する構成として、熱変色性インキを内部に直接収容する直液式、または熱変色性インキをインキ吸蔵体に含浸させる中綿式等が挙げられる。
【００２３】
・熱変色性インキ
尚、本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２４】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００２５】
本発明では、図５に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図５において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２６】
本発明では、前記熱変色性インキの摩擦部の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部による摩擦熱で容易に変色することができる。
【００２７】
前記可逆熱変色性マイクロカプセル顔料は、粒子径の平均値が０．５〜５．０μｍ、好ましくは１〜４μｍの範囲にあることが好ましい。平均粒子径が５．０μｍを越える系では、ボールペンチップや多孔質ペン体の毛細間隙からの流出性が低下し、平均粒子径が０．５μｍ以下の系では高濃度の発色性を示し難くなる。
【００２８】
前記可逆熱変色性マイクロカプセル顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【発明の効果】
【００２９】
本発明の熱変色性筆記具は、非使用時、携帯に便利となる。
【発明を実施するための最良の形態】
【００３０】
＜第１の実施の形態＞
本発明の熱変色性筆記具１の第１の実施の形態を図１及び図２に示す。
本実施の形態の熱変色性筆記具１は、軸筒２と、軸筒２のペン先２１側に装着可能なキャップ３とからなる。
【００３１】
・軸筒
軸筒２の前端には、ボールペンチップよりなるペン先２１が設けられ、軸筒２内には熱変色性インキが収容され、筆記時、前記ペン先２１より前記熱変色性インキが外部に吐出される。具体的には、軸筒２内には、ボールペンレフィルよりなる筆記体が交換可能に収容される。前記筆記体の内部には熱変色性インキが収容され、前記筆記体の前端にはボールペンチップ（ペン先２１）が取り付けられる。
【００３２】
・摩擦部
軸筒２の後端部には、摩擦時に消しカスが生じない低摩耗性の弾性材料（例えば、ＳＢＳ樹脂、ＳＥＢＳ樹脂）の成形体からなる摩擦部４が設けられる。前記摩擦部４は、軸筒２の後端部の取付孔２２に嵌入により取り付けられる。
【００３３】
前記摩擦部４は、前記取付孔２２に嵌入される筒状の嵌入部４２と、該嵌入部４２の後端に一体に連設され、軸筒２の後端より外部に突出する突出部４１とからなる。前記摩擦部４の頂部（突出部４１の後端部）は、凸曲面状に形成される。
【００３４】
・熱変色性インキ
前記熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００３５】
・キャップ
キャップ３内部には、弾性材料よりなるペン先シール部材３１が収容配置される。キャップ３を軸筒２のペン先２１側に装着した際、前記ペン先シール部材３１によりペン先２１（ボールペンチップの先端）が密封される。また、キャップ３の側壁外面には、クリップ３２が設けられる。また、キャップ３の頂部（即ちキャップ３の頂部のクリップ３２の基部）には、環状の紐状部材５が取り付けられる。
【００３６】
・軸方向の長さ
キャップ３をペン先２１側に装着した状態における、キャップ３後端から軸筒２後端（即ち摩擦部４後端）までの軸方向の長さＡは、４０ｍｍ〜６０ｍｍに設定される。また、キャップ３をペン先２１側に装着した状態における、キャップ３後端から軸筒２後端までの軸方向の長さＡが、キャップ３の軸方向の全長Ｂより短く設定される（即ち、Ａ＜Ｂに設定される）。
【００３７】
＜第２の実施の形態＞
本発明の熱変色性筆記具１の第２の実施の形態を図３及び図４に示す。
本実施の形態の熱変色性筆記具１は、軸筒２と、軸筒２のペン先２１側に装着可能なキャップ３とからなる。
【００３８】
・軸筒
軸筒２の前端には、多孔質材料（繊維加工体または連続気泡体）からなるマーキングペンチップよりなるペン先２１が設けられ、軸筒２内には熱変色性インキが収容され、筆記時、前記ペン先２１より前記熱変色性インキが外部に吐出される。
【００３９】
本実施の形態では、軸筒２内にインキタンクが形成され、前記インキタンク内に直接、熱変色性インキが収容される。前記ペン先２１と前記インキタンクとの間には、ペン先２１を後方に押圧することにより開口する弁装置が設けられる。
【００４０】
・摩擦部
軸筒２の後端部には、摩擦時に消しカスが生じない低摩耗性の弾性材料（例えば、ＳＢＳ樹脂、ＳＥＢＳ樹脂）の成形体からなる摩擦部４が設けられる。前記摩擦部４は、軸筒２の後端部の取付孔２２に嵌入により取り付けられる。
【００４１】
前記摩擦部４は、前記取付孔２２に嵌入される筒状の嵌入部４２と、該嵌入部４２の後端に一体に連設され、軸筒２の後端より外部に突出する突出部４１とからなる。前記摩擦部４の頂部（突出部４１の頂部）は、凸曲面状に形成される。
【００４２】
・熱変色性インキ
前記熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００４３】
・キャップ
キャップ３を軸筒２のペン先２１側に装着することにより、ペン先２１が密封される。また、キャップ３の側壁外面には、クリップ３２が設けられる。また、キャップ３の頂部（即ちキャップ３の頂部のクリップ３２の基部）には、環状の紐状部材５が取り付けられる。
【００４４】
・軸方向の長さ
キャップ３をペン先２１側に装着した状態における、キャップ３後端から軸筒２後端（即ち摩擦部４後端）までの軸方向の長さＡは、４０ｍｍ〜６０ｍｍに設定される。また、キャップ３をペン先２１側に装着した状態における、キャップ３後端から軸筒２後端までの軸方向の長さＡが、キャップ３の軸方向の全長Ｂより短く設定される（即ち、Ａ＜Ｂに設定される）。
【図面の簡単な説明】
【００４５】
【図１】本発明の第１の実施の形態において、キャップを軸筒のペン先側に装着した状態を示す縦断面図である。
【図２】図１のキャップを取り外した状態を示す縦断面図である。
【図３】本発明の第２の実施の形態において、キャップを軸筒のペン先側に装着した状態を示す縦断面図である。
【図４】図３のキャップを取り外した状態を示す縦断面図である。
【図５】熱変色性インキの変色挙動を示す説明図である。
【符号の説明】
【００４６】
１  熱変色性筆記具
２  軸筒
２１  ペン先
２２  取付孔
３  キャップ
３１  ペン先シール部材
３２  クリップ
４  摩擦部
４１  突出部
４２  嵌入部
５  紐状部材
Ａ  キャップ後端から軸筒後端までの軸方向の長さ
Ｂ  キャップの軸方向の全長
【図１】
2009066779.tif 000003
【図２】
2009066779.tif 000004
【図３】
2009066779.tif 000005
【図４】
2009066779.tif 000006
【図５】
2009066779.tif 000007